【手続補正書】
【提出日】平成20年9月3日(2008.9.3)
【手続補正１】
【補正対象書類名】特許請求の範囲
【補正対象項目名】全文
【補正方法】変更
【補正の内容】
【特許請求の範囲】
【請求項１】
ＰＨＡを単離する方法であって、前記方法が、
ＰＨＡ、第一溶媒および第二溶媒を混合して、混合体を形成する工程であって、前記第一溶媒が、前記第二溶媒と共沸混合物を形成することが可能である工程と、
前記混合体を形成後、前記ＰＨＡの顆粒を形成する工程と、
を含む方法。
【請求項２】
前記方法が、
前記混合体を加熱して、前記第一溶媒と前記第二溶媒の共沸混合物を形成する工程をさらに含む、請求項１に記載の方法。
【請求項３】
前記ＰＨＡ顆粒を形成する前に、前記方法が、
前記混合体を加熱して前記第一溶媒を実質的に除去し、それによって、前記ＰＨＡと前記第二溶媒を含む第二混合体を形成する工程と、
前記第二混合体の温度を減少させる工程と、
を含む請求項１または２に記載の方法。
【請求項４】
加熱する前に、前記方法が、
前記ＰＨＡと前記第一溶媒を混合して、第一混合体を形成する工程と、
前記第一混合体を前記第二溶媒と混合して、前記混合体を形成する工程と、
を含む請求項３に記載の方法。
【請求項５】
前記第一溶媒が、前記第二溶媒よりも高い沸点を有し、
前記方法が、前記混合体を前記第二溶媒の沸点より低い温度まで加熱して前記混合体から少なくともいくらかの前記ＰＨＡを除去する工程をさらに含む、請求項１または２に記載の方法。
【請求項６】
前記第一溶媒が、前記第二溶媒よりも高い沸点を有し、前記方法が、
前記混合体を前記第二溶媒の沸点より低い温度まで加熱して前記混合体から実質的に前記第一溶媒を除去する工程をさらに含む、請求項１、２および５の何れか一項に記載の方法。
【請求項７】
前記方法が、
前記混合体を加熱して、前記第一溶媒と前記第二溶媒とを含む混合蒸気を形成する工程と、
前記混合蒸気を凝縮して第一および第二相を含む液体を形成する工程であって、前記液体の第一相が、前記第一溶媒を実質的に含有せず、前記液体の第二相が、前記第二溶媒を実質的に含有しない工程と、
を含む、請求項１、２、５および６の何れか一項に記載の方法。
【請求項８】
前記混合体を加熱することは、前記混合体から前記第一溶媒をほぼ除去する、請求項１、２および７の何れか一項に記載の方法。
【請求項９】
前記第一溶媒と前記第二溶媒との前記共沸混合物が、前記第一溶媒の沸点より低くかつ前記第二溶媒の沸点よりも低い温度で形成する、請求項１、２および７の何れか一項に記載の方法。
【請求項１０】
前記第一溶媒が、前記第二溶媒よりも高い沸点を有し、前記方法が、
前記混合体を加熱して、前記第一溶媒と前記第二溶媒とを含む混合蒸気を形成する工程と、
前記混合蒸気を凝縮して第一および第二相を含む液体を形成する工程であって、前記液体の前記第一相が、前記第一溶媒を実質的に含有せず、前記液体の前記第二相が、前記第二溶媒を実質的に含有しない工程と、
をさらに含む、請求項１、２、５および６の何れか一項に記載の方法。
【請求項１１】
前記第二溶媒が、水を含む、請求項１、２、５〜７および１０の何れか一項に記載の方法。
【請求項１２】
前記混合体を加熱することが、前記第一溶媒と第二溶媒の前記共沸混合物を形成する、請求項５、６および１０の何れか一項に記載の方法。
【請求項１３】
前記混合体が、前記第一溶媒の沸点よりも低くかつ前記第二溶媒の沸点よりも低い温度まで加熱される、請求項１０、または請求項１０に従属する請求項１２に記載の方法。
【請求項１４】
前記ＰＨＡ顆粒が、少なくとも約０．２５Ｋｇ／ｍ３の嵩密度を有する、請求項１、２、５〜７および１０の何れか一項に記載の方法。
【請求項１５】
加熱の前に、前記方法が、
前記ＰＨＡと前記第一溶媒を混合して、第一混合体を形成する工程と、
前記第一混合体を前記第二溶媒と混合して、前記混合体を形成する工程と、
を含む請求項１、２、５〜７および１０の何れか一項に記載の方法。
【請求項１６】
前記方法が、
前記ＰＨＡ、第一溶媒、第二溶媒、および第三溶媒を混合して、混合体を形成する工程であって、前記第一溶媒が、前記第三溶媒と共沸混合物を形成することが可能であり、かつ、前記第一溶媒および前記第三溶媒が、前記第二溶媒と共沸混合物を形成することが可能である工程と、
前記混合体を形成後、前記ＰＨＡの顆粒を形成する工程と、
を含む、請求項１に記載の方法。
【請求項１７】
前記混合体を加熱することが、前記混合体から前記第一溶媒および前記第三溶媒を辞実質的に除去する、請求項１６に記載の方法。
【請求項１８】
前記混合体を加熱することが、前記第一溶媒と、前記第二溶媒と、前記第三溶媒との三元共沸混合物を形成する、請求項１７に記載の方法。
【請求項１９】
前記混合体を加熱することが、前記第一溶媒と前記第二溶媒との二元共沸混合物および前記第二溶媒と前記第三溶媒との二元共沸混合物を形成する、請求項１７に記載の方法。
【請求項２０】
前記共沸混合物が、前記第一溶媒の沸点より低く、前記第二溶媒の沸点より低く、かつ前記第三溶媒の沸点より低い温度で形成する、請求項１８または１９に記載の方法。
【請求項２１】
前記第一溶媒が、ＭＩＢＫ、酢酸ブチル、酢酸エチル、シクロペンタノン、およびシクロヘキサノンからなる群から選択される請求項１、２、５〜７および１０の何れか一項に記載の方法。
【請求項２２】
前記第二溶媒が、水を含む、請求項１、２、５〜７および１０の何れか一項に従属する請求項２１に記載の方法。
【請求項２３】
前記第一溶媒が、ＭＩＢＫである、請求項２１に記載の方法。
【請求項２４】
前記第一溶媒が、ＭＩＢＫ、酢酸ブチル、酢酸エチル、シクロペンタノン、およびシクロヘキサノンからなる群から選択される請求項１６に記載の方法。
【請求項２５】
前記第一溶媒が、ＭＩＢＫである、請求項２４に記載の方法。
【請求項２６】
前記第一溶媒が、前記第三溶媒と混和性である、請求項２５に記載の方法。
【請求項２７】
前記第一溶媒に対する前記第三溶媒の比が、約０．１０未満である、請求項２６に記載の方法。
【請求項２８】
前記ＰＨＡが、２０℃で、前記ＰＨＡの約０．２％未満の、前記第三溶媒中での溶解度を有する、請求項２７に記載の方法。
【請求項２９】
前記第三溶媒が、ｎ−ヘプタンを含む、請求項１６または２８に記載の方法。
【請求項３０】
前記第二溶媒が、水を含む、請求項１６または２９に記載の方法。
【請求項３１】
前記ＰＨＡの顆粒が、少なくとも約０．２５Ｋｇ／ｍ３の嵩密度を有する、請求項１６に記載の方法。
【請求項３２】
前記ＰＨＡ顆粒を形成する前に、前記方法が、
前記混合体を加熱して、前記第一溶媒と前記第三溶媒を実質的に除去して、それによって、前記ＰＨＡと前記第二溶媒を含む第二混合体を形成する工程と、
前記第二混合体の温度を下げる工程と、
を含む請求項１６に記載の方法。
【請求項３３】
加熱する前に、前記方法が、
前記ＰＨＡと、前記第一溶媒と、前記第三溶媒とを混合して、第一混合体を形成する工程と、
前記第一混合体を前記第二溶媒と混合して、前記混合体を形成する工程と、
を含む請求項３２に記載の方法。
【請求項３４】
前記方法が、さらに
前記混合体を加熱して、前記第一、第二、および第三溶媒を含む混合蒸気を形成する工程と、
前記混合蒸気を凝縮して、第一および第二相を含む液体を形成する工程であって、前記液体の前記第一相が、前記第一溶媒と第三溶媒をほとんど含有せず、前記液体の前記第二相が、前記第二溶媒をほとんど含有していない工程と、
を含む請求項１６に記載の方法。